(57)【要約】      （修正有）【課題】高層住宅のベランダに存在するアースとなる金属片等を利用することで高層住宅のベランダにおける植物育成を可能とした植物育成具を得るにある。【解決手段】高層住宅ベランダにおいて植物を育成する植物育成具であって、該植物育成具は、植物を植えた鉢１８の土壌１９に挿し込むアース棒２１を設けた。該アース棒２１と固着接続して設けた導電性の良好な接地線２２と、該接地線２２のもう一方の先端を高層住宅ベランダ周辺に固着している導電性を有した物体である金属片と、金属製の手すりと、水道蛇口あるいは水道管等と導通良く接続して設けた植物育成具の構成である。【選択図】図１
0003142022.tif 000002
【実用新案登録請求の範囲】
【請求項１】
高層住宅ベランダにおいて植物を育成する植物育成具であって、該植物育成具（２０）は、植物を植えた鉢（１８）の土壌（１９）に挿し込むアース棒（２１）を設け、該アース棒（２１）と固着接続して設けた導電性の良好な接地線（２２）と、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする植物育成具。
【請求項２】
上記記載の植物育成具であって、該植物育成具（２０）は、並列に載置された植物を植えた鉢（１８）の土壌（１９）に挿し込むアース棒（２１）を設け、該アース棒（２１）は、並列に複数個のアース棒（２１）を設けて導電性の良好な１本の接地線（２２）と固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする請求項１記載の植物育成具。
【請求項３】
前記記載の植物育成具であって、該植物育成具（２０）は、金属製のプランター（４１）あるいは、金属製の植木鉢（４２）に導電性の良好な接地線（２２）を固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管２６等と導通良く接続して設けた構成であることを特徴とする請求項１記載の植物育成具。
【請求項４】
前記記載の植物育成具であって、該植物育成具（２０）は、植物を植えた鉢（１８）を載置する植木置皿（５１）あるいは、植木置台（５２）として、植木を植えた鉢（１８）を載置する鉢（１８）の底壁にある水抜き孔（１７）に挿し込むアース棒（２１）を上方に向けて固着して設け、該アース棒（２１）は、導電性の良好な接地線（２２）を固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする請求項１ないし２記載の植物育成具。
【請求項５】
前記記載の植物育成具であって、該植物育成具（２０）は、植木を植えた鉢（１８）を載置して体裁良く見せる植木鉢カバー（６１）として、該植木鉢カバー（６１）の底壁にある水抜き孔（１７）に挿し込むアース棒（２１）を上方に向けて固着して設け、該アース棒（２１）は、導電性の良好な接地線（２２）を固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする請求項１ないし２記載の植物育成具。
【請求項６】
前記記載の植物育成具であって、該植物育成具（２０）は、植木置皿（５１）と、植木置台（５２）と、植木鉢カバー（６１）等に設けたアース棒（２１）は、該アース棒（２１）と接続する接地用接続メス端子（７２）を設け、該接地用接続メス端子（７２）と接地用接続オス端子（７３）は着脱自在で、該接地用接続オス端子（７３）と導電性の良好な接地線（２２）を固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする請求項１ないし５記載の植物育成具。
【考案の詳細な説明】
【技術分野】
【０００１】  本考案は、高層住居のベランダで鉢植え植物の育成を行うが枯れることが多く地上と同様に植物の育成を行える植物育成具に関する。
【背景技術】
【０００２】  従来から高層住居のベランダで鉢植え植物の育成を行うが水やり土壌を変え肥料を与えるが枯れることが多く植物体育成について約１０年試みたが枯れることには変わりがなかった。【０００３】  磁気エネルギーを植物に与える植物育成容器の参考文献がある。合成樹脂材に磁性粉を混入しこれを長尺なコード状に形成して着磁してなる可撓性を有する磁石体の外周に熱可塑性樹脂エラストマーからなる外装被覆体を被覆形成されてなる磁石コードを植木鉢の内周に螺旋状に周回して止着させて植物育成容器を形成している。（例えば、発明の名称植物育成容器、特許文献１を参照）。【０００４】  合成樹脂により杭状に形成した部材本体に、少なくとも１個の磁石体と、磁石体より発生される磁力を強化する透孔を設けたもので、育成中の植物近傍の地中へ差し込むこにより、磁石体より放射される磁力線が植物の根に達するため、植物の成長を促進することができる。（例えば、発明の名称：植物育成促進部材は、参考文献２を参照）。【０００５】  石と単相１００Ｖ電源の陽極側を接続し、石を触媒とし観葉植物をマイナス電荷に帯電させる。（例えば、発明の名称：弱静電荷発生植木鉢、参考文献３を参照）。【０００６】  植物体を植栽した土壌に拡散部を差し込み、拡散部の土壌に差し込んだ部分に取り付けられた電極体に回路部を介して接続コンセントに接続して負電圧を印加することで、植物体を負電位に帯電させてマイナスイオンを拡散する。また、電極体に揮発成分を含んだ液体を接触させた状態にして揮発成分の発散を促進する。（例えば、発明の名称：植物体用マイナスイオン及び揮発成分拡散装置、参考文献４を参照）。【０００７】  屋外に設けた接地と、屋内に設置した植物であって根回りに微粉炭の層を設けたもの、又は、机、カーテン、置物、表装材、などであってその外面のうち、居住空間に接する面の少なくとも一部を導電性の面としたもの、などの屋内設置物とする。そして、植物の根回りの前記微粉炭の層、又は机、カーテン、置物、表装材の導電性の面と、屋外に設けた接地とを接地線で結合した。さらにアース端子を有する屋内設置物とする。（例えば、発明の名称：プラスイオン吸着機能を有する屋内設置物、参考文献５を参照）。【０００８】  植木鉢は、貴金属またはその合金から構成されているので、比重が約１０程度と大きく、植木に外力がくわえられた場合でも転倒しにくい。（例えば、発明の名称：貴金属製植木鉢及びその製造方法、参考文献６を参照）。【０００９】  植木鉢の植木に水をやるため、カバーは水に強い材質にする。合成樹脂、金属など。（例えば、発明の名称：植木鉢カバー、参考文献７を参照）【００１０】
【特許文献１】  特開平１１−２１５９１９公報
【特許文献２】  特開平８−１７２９１５公報
【特許文献３】  実登第３０６６７０４公報（Ｕ）
【特許文献４】  特開２００４−２０８６２６公報
【特許文献５】  特開２００４−２０１６０２公報
【特許文献６】  特開平６−９８６３４公報
【特許文献７】  特開２００３−２０４７２４公報
【００１１】  図１０は、屋内接地の植物用鉢の断面図を示した図である。
プラスイオン吸着機能を有する屋内接地物として植木の公報がある（参考文献５を参照）。その解決手段によると、樹木や草花などの植物であってその根回りを、植木鉢１１や園芸箱の内側に微粉炭の層１２を設け、前記微粉炭の層１２にアース材１５を差し込み、前記微粉炭の層１２の内側に培養土の層１３を設け、さらに前記培養土の層１２に植物の根を植えた根回りとした植物とする。このような樹木や草花を人間の居住空間に置いて、  前記アース材１５と屋外の接地とを接地線７でつなぐ。これにより、植物の根回りをマイナス電位としてその育成を成長するだけでなく、植物自信をマイナス電位とすることにより居住空間のプラスイオンを積極的に吸収させることにある。
【考案の開示】
【考案が解決しようとする課題】
【００１２】  従来から植木の育成には人々の関心が高い。以下のような欠点があった。植物の育成によいとされる磁石の応用がある。石と単相１００Ｖを用いて観葉植物をマイナス電荷に帯電させる。植物に水をやっている者として植木の育成に単相１００Ｖを使用することは馴染まない。植物体を植栽した土壌に拡散部を差し込み単相１００Ｖを用いてマイナスイオンを拡散する。拡散部を購入して単相１００Ｖを使用することは馴染まない。農業専門でない者は植物に水を扱うので近くで単相１００Ｖを使用したくない。また、鉄製や黄銅製の植木鉢あるいは１９世紀のイギリスで流行した植木鉢カバーは現在販売されているが植物育成としての特別な仕掛けはない。、【００１３】  本考案は以上のような従来の欠点に鑑み、植物育成具においては、高層住居のベランダで鉢植え直物の育成が簡単に行える植物育成具として、磁石と、単相１００Ｖと、マイナスイオンを拡散する装置と、プラスイオン吸着機能を有する屋内接地物としての植木鉢として、屋内植物に微粉炭の層を設けること、金属製の鉢と、金属製の植木カバー等は、植物育成が目的ではない。高層住宅のベランダに存在するアースとなる金属片や金属製の手すり等を利用して高層住宅のベランダにおいて簡単に植物育成ができる植物育成具を提供することを目的としている。【００１４】  本考案の前記ならびに、そのほかの目的と新規な特徴は次の説明を添付図面と照らし併せて読むと、より完全に明らかになるであろう。
ただし、図面はもっぱら解説のためのものであって、本考案の技術範囲を限定するものではない。
【課題を解決するための手段】
【００１５】  上記目的を達成するために、本考案は、高層住宅ベランダにおいて植物を育成する植物育成具であって、該植物育成具２０は、植物を植えた鉢１８の土壌１９に挿し込むアース棒２１を設けた。該アース棒２１と固着接続して設けた導電性の良好な接地線２２と、該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。【００１６】  また、請求項２記載の考案では、請求項１記載の植物育成具であって、該植物育成具２０は、並列に載置された植物を植えた鉢１８の土壌１９にアース棒２１を挿し込む。該アース棒２１は、並列に複数個のアース棒２１を設けて導電性の良好な１本の接地線２２と固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。【００１７】  また、請求項３記載の考案では、請求項１ないし２記載の植物育成具であって、該植物育成具２０は、金属製のプランター４１あるいは、金属製の植木鉢４２に導電性の良好な接地線２２を固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。【００１８】  また、請求項４記載の考案では、請求項１ないし２記載の植物育成具であって、該植物育成具２０は、植物を植えた鉢１８を載置する植木置皿５１あるいは、植木置台５２として、植木を植えた鉢１８を載置した鉢１８の底壁にある水抜き孔１７に挿し込むアース棒２１を上方に向けて固着して設けた。該アース棒２１は、導電性の良好な接地線２２を固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。【００１９】  また、請求項５記載の考案では、請求項１ないし２記載の植物育成具であって、該植物育成具２０は、植木を植えた鉢１８を載置して体裁良く見せる植木鉢カバー６１として、該植木鉢カバー６１の底壁に鉢１８の底壁ある水抜き孔１７に挿し込むアース棒２１を上方に向けて固着して設けた。該アース棒２１は、導電性の良好な接地線２２を固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。【００２０】  また、請求項６記載の考案では、請求項１ないし５記載の植物育成具であって、該植物育成具２０は、植木置皿５１と、植木置台５２と、植木鉢カバー６１等に設けたアース棒２１は、該アース棒２１と接続する接地用接続メス端子７２を設けた。該接地用接続メス端子７２と接地用接続オス端子７３は着脱自在で、該接地用接続オス端子７３と導電性の良好な接地線２２を固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。
【考案の効果】
【００２１】  以下の説明で明らかなように、本考案にあっては次に列挙する効果が得られる。【００２２】  請求項１の考案では、高層住宅ベランダにおいて植物を育成する植物育成具であって、該植物育成具は、植物を植えた鉢の土壌に挿し込むアース棒を設けた。該アース棒と固着接続して設けた導電性の良好な接地線と、該接地線のもう一方の先端を高層住宅ベランダ周辺に固着している導電性を有した物体である金属片と、金属製の手すりと、水道蛇口あるいは水道管等と導通良く接続して設けた構成であるので、高層住宅ベランダにおいて鉢植の植物を育成することが簡単になった。植木を植えた鉢の土壌にアース棒を挿し込んで接地線を大地の接地と同電位となる導電性の良好な物体に接続する。植木を植えた鉢の移動をする場合はアース棒を土壌から抜けばよい。取扱いは簡単で大地の接地が原因で植木を枯らすことが無くなった。高層住宅ベランダにおける植物育成が楽しくなった。【００２３】  請求項２の考案では、請求項１記載の植物育成具であって、該植物育成具は、並列に載置された植物を植えた鉢の土壌にアース棒を挿し込む。該アース棒は、並列に複数個のアース棒を設けて導電性の良好な１本の接地線と固着接続して設けた。該接地線のもう一方の先端を高層住宅ベランダ周辺に固着している導電性を有した物体である金属片と、金属製の手すりと、水道蛇口あるいは水道管等と導通良く接続して設けた構成の植物育成具であるので、高層住宅ベランダにおいて植木を並列に並べた鉢は、並列に設けたアース棒を挿し込んで接地線を大地の接地と同電位となる導電性の良好な物体に接続すればよいことになった。【００２４】  請求項３記載の考案では、請求項１ないし２記載の植物育成具であって、該植物育成具は、金属製のプランターあるいは、金属製の植木鉢に導電性の良好な接地線を固着接続して設けた。該接地線のもう一方の先端を高層住宅ベランダ周辺に固着している導電性を有した物体である金属片と、金属製の手すりと、水道蛇口あるいは水道管等と導通良く接続して設けた構成の植物育成具であるので、高層住宅ベランダにおいて金属製のプランターあるいは、金属製の植木鉢はアース棒の変わりをするので、植物を育成することが簡単になった。植木を植えた金属製のプランターあるいは、金属製の植木鉢の接地線を大地の接地と同電位となる導電性の良好な物体に接続することでよい。取扱いは簡単で大地の接地が原因で植木を枯らすことが無くなった。【００２５】  請求項４記載の考案では、請求項１ないし２記載の植物育成具であって、該植物育成具は、植物を植えた鉢を載置する植木置皿あるいは、植木置台として、植木を植えた鉢を載置した鉢の底壁にある水抜き孔に挿し込むアース棒を上方に向けて固着して設けた。該アース棒は、導電性の良好な接地線を固着接続して設けた。該接地線のもう一方の先端を高層住宅ベランダ周辺に固着している導電性を有した物体である金属片と、金属製の手すりと、水道蛇口あるいは水道管２６等と導通良く接続して設けた構成の植物育成具であるので、高層住宅ベランダにおいて鉢植の植物を育成することが簡単になった。鉢を植木置皿あるいは植木置台に載せることで必然的に植木を植えた鉢の底壁にある水はけ用の孔��アース棒を上方向に差し込むことになる。植木鉢は大地の接地と同電位となる。取扱いは簡単で大地の接地が原因で植木を枯らすことが無くなった。【００２６】  請求項５記載の考案では、請求項１ないし２記載の植物育成具であって、該植物育成具は、植木を植えた鉢を載置して体裁良く見せる植木鉢カバーとして、該植木鉢カバーの底壁に鉢の底壁ある水抜き孔に挿し込むアース棒を上方に向けて固着して設けた。該アース棒は、導電性の良好な接地線を固着接続して設けた。該接地線のもう一方の先端を高層住宅ベランダ周辺に固着している導電性を有した物体である金属片と、金属製の手すりと、水道蛇口２５あるいは水道管等と導通良く接続して設けた構成の植物育成具であるので、高層住宅ベランダにおいて鉢植の植物を育成することが簡単になった。鉢を植木カバーに載置することで、必然的に植木を植えた鉢の底壁にある水はけ用の孔にアース棒を上方向に差し込むことになる。植木鉢は大地の接地と同電位となる。取扱いは簡単で大地の接地が原因で植木を枯らすことが無くなった。高層住宅ベランダにおける植物育成が楽しくなった。【００２７】  請求項６記載の考案では、請求項１ないし５記載の植物育成具であって、該植物育成具は、植木置皿と、植木置台と、植木鉢カバー等に設けたアース棒は、該アース棒と接続する接地用接続メス端子を設けた。該接地用接続メス端子と接地用接続オス端子は着脱自在で、該接地用接続オス端子と導電性の良好な接地線を固着接続して設けた。該接地線のもう一方の先端を高層住宅ベランダ周辺に固着している導電性を有した物体である金属片と、金属製の手すりと、水道蛇口あるいは水道管等と導通良く接続して設けた構成の植物育成具であるので、高層住宅ベランダにおいて植木置皿と、植木置台と、植木鉢カバー等を移動するとき接地線を引き回すことが無くなった。移動の際には設けた接地用接続メス端子７２と着脱自在の接地用接続オス端子７３を取外すはずすことで済む。接地線を引き回すことが無くなったので見た目も美しく取扱いも簡単で高層住宅ベランダにおける植物育成が楽しくなった。
【考案を実施するための最良の形態】
【００２８】  以下、図面に示す実施するための最良の形態により、本考案を詳細に説明する。
【実施例１】
【００２９】  図１ないし図５に示す本考案の第１の実施するための最良の第１の形態において、図１は、本考案の植物育成具のアース棒を使用した鉢植の一部を切り欠いだ斜視図を示した図である。
高層住宅のベランダにおいて植物を育成するために、植物育成具２０は、植物を植えた鉢１８の土壌１９にアース棒２１を挿し込むアース棒２１と固着接続した導電性の良好な接地線２２のもう一方の先端は高層住宅ベランダ周辺に固着した導電性を有した物体７０と導通良く接続して大地の接地２８と同電位とした。高層住宅ベランダ周辺に固着した導電性の良好な物体７０は、高層住宅ベランダ周辺に固着した金属片２３と、あるいは金属性からなる手すり２４または、水道蛇口２５または、水道管２６等である。高層住宅ベランダに固着している金属片２３と、金属製の手すり２４と、水道蛇口２５あるいは水道管２６等は導電性を高めるために磨く必要がある。地球の大地の電位と高層住宅のベランダに載置した植物を植えた鉢１８の土壌１９を大地の電位と同一にすることで植物の育成が大地と同様に促進される。アース棒２１は導電性のよい材質として銅が性能的に経済的に良い。【００３０】  図２は、本考案の植物育成具のアース棒の模試図を示した図である。
アース棒２１と固着接続した接地線２２と、接地線２２のもう一方の先端に導通の良いクリップ２７を固着接続して設けた。クリップ２７は、高層住宅ベランダ周辺に固着した導電性を有した物体７０を挟んで導通良く接続して大地の接地２８と同電位とした。
アース棒２１に使用する材質は、金、銀、銅、錫、アルミニューム、鉄、カーボン、亜鉛その他導電性塗料の塗布でも導電性が良いものであれば使用可能である。【００３１】  図３は、本考案の植物育成具のアース棒を鉢に使用した断面図を示した図である。
高層住宅のベランダに載置した植物を植えた鉢１８の土壌１９に挿し込んで使用する植物育成具２０は、鉢１８の土壌１９に挿し込むアース棒２１を設けた。アース棒２１は、アース棒２１と接地線２２を導通の良い状態で固着接続して設けた。接地線２２のもう一方の先端は高層住宅ベランダ周辺に固着した導電性の良好な物体７０と導通良く接続して大地の接地２８と同電位とした。【００３２】  図４は、本考案の植物育成具のアース棒を並列に接続した模試図を示した図である。
１ヶ以上のアース棒２１を間隔を設けて固着接続した導電性の良好な１本の接地線２２と接続して設けた。該接地線２２の一方の先端は高層住宅ベランダ周辺に固着した導電性の良好な物体７０と導通良く接続できるようにして設けた。【００３３】  図５は、本考案の植物育成具の並列に接続したアース棒を鉢に使用した斜視図を示した図である。
高層住宅のベランダに載置した植物を植えた鉢１８の土壌１９に挿し込んで使用する植物育成具２０は、並列に載置された植物を植えた鉢１８の土壌１９にアース棒２１を挿し込む。該アース棒２１は、並列に複数個のアース棒２１を設けて導電性の良好な１本の接地線２２と固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して大地の接地２８と同電位とした構成の植物育成具である。【００３４】  ｛考案を実施するための異なる形態｝【００３５】  次に図６ないし図９に示す本考案を実施するための異なる形態につき説明する。
なお、これらの本考案を実施するための異なる形態の設明に当たって、前記本考案を実施するための最良の第１の形態と同一構成部分には同一符号を付して重複する説明を省略する。
【実施例２】
【００３６】  図６の本考案の第２の実施の形態において前記本発明の第１の実施の形態と主に異なる点は、植物育成具２０として、アース棒２１を使用しないで、アース棒２１を代用する金属製の植木鉢４２や金属製のプランター４１に導電性の良好な接続線２２を接続して高層住宅ベランダ周辺に固着した導電性を有した物体と接続して大地の接地２８と同電位とした。植木鉢４２やプランター４１はアース棒２１と同様に導電性良好な材質を用いる。【００３７】  図６は、本考案の植物育成具の金属製のプランターの斜視図を示した図である。
高層住宅のベランダに載置する植物を植える金属製のプランター４１あるいは、金属製の植木鉢４２に導電性の良好な接地線２２を固着接続して設けた。土壌１９を入れ植木を植えた金属製のプランター４１あるいは、金属製の植木鉢４２と固着接続した接地線２２を高層住宅ベランダ周辺の導電性を有した物体７０と、導通良く接続して大地の接地２８と同電位とした。【００３８】  高層住宅のベランダに載置する植物を植える金属製のプランター４１あるいは、金属製の植木鉢４２に接地用接続メス端子７２を設けた（図示せず）。大地の接地２８と同電位とする接地線２２を接地用接続オス端子７３に固定して、接地用接続メス端子７２と接地用接続オス端子７３を嵌めて接地線２２の一方を高層住宅ベランダ周辺の導電性を有した物体７０と導通良く接続して大地の接地２８と同電位とした。
【実施例３】
【００３９】  図７ないし図８の本考案の第３の実施の形態において前記本考案の第１の実施の形態と主に異なる点は、植物育成具２０として、植木置皿５１あるいは、植木置台５２に設けたアース棒２１を植木を植えた鉢１８の底壁にある水抜き孔に挿し込んで大地の接地２８と同電位とした。アース棒２１は銅製の釘の形が挿入しやすい。【００４０】  図７は、本考案の植物育成具の植木置皿の断面図を示した図である。
植木置皿５１は、植木置皿５１の中心付近に、植木を植えた鉢１８の底壁にある水抜き孔１７に挿し込むようにアース棒２１を上方に向けて固着して設けた。アース棒２１は、アース棒２１と接地線２２と導通の良い状態で固着接続して設け、接地線２２のもう一方の先端は高層住宅ベランダ周辺に固着した導電性の良好な物体７０と導通良く接続して大地の接地２８と同電位とした。植木置皿５１に接地用接続メス端子７２を設けてもよい（図示せず）。接地用接続メス端子７２を設けたときは接地線２２と接地用接続オス端子７３を接続する。接地用接続メス端子７２と接地用接続オス端子７３を嵌めて接地線２２の一方を高層住宅ベランダ周辺の導電性を有した物体７０と導通良く接続して大地の接地２８と同電位とした。植木置皿５１は、鉢１８に水をやると水が流れ落ちないように周囲を小高く囲ってある。【００４１】  図８は、本考案の植物育成具の植木置台の断面図を示した図である。
植木置台５２は、植木置皿５２の中心付近に、植木を植えた鉢１８の底壁にある水抜き孔に挿し込めるようにアース棒２１を上方に向けて固着して設けた。アース棒２１は、アース棒２１と接地線２２と導通の良い状態で固着接続して設け、接地線２２のもう一方の先端は高層住宅ベランダ周辺に固着した導電性の良好な物体と導通良く接続して大地の接地２８と同電位とした。植木置台５２に接地用接続端子５３を設けてもよい。
接地用接続メス端子７２を設けたときは接地線２２と接地用接続オス端子７３を接続する。接地用接続メス端子７２と接地用接続オス端子７３を嵌めて接地線２２の一方を高層住宅ベランダ周辺の導電性を有した物体７０と導通良く接続して大地の接地２８と同電位とした。植木置台５２は、鉢１８に水をやると水が周囲に流れ落ちる平面が水平の台である。【００４２】  図９の本考案の第４の実施の形態において前記本考案の第１の実施の形態と主に異なる点は、植物育成具２０として、植木カバー６１に設けたアース棒２１を植木を植えた鉢１８の底壁にある水抜き孔に挿し込んで大地の接地２８と同電位とする。【００４３】  図９は、本考案の植物育成具の植木鉢カバーの一部を切り欠いだ斜視図を示した図である。
植木鉢カバー６１は、植木鉢カバー６１の中心に、植木を植えた鉢１８の底壁にある水抜き孔１７に挿し込むようにアース棒２１を上方に向けて固着して設けた。アース棒２１は、アース棒２１と接地線２２と導通の良い状態で固着接続して設け、接地線２２のもう一方の先端は高層住宅ベランダ周辺に固着した導電性の良好な物体と導通良く接続して大地の接地２８と同電位とした。接地用接続端子６３を設けてもよい。接地用接続メス端子７２を設けたときは接地線２２と接地用接続オス端子７３を接続する。接地用接続メス端子７２と接地用接続オス端子７３を嵌めて接地線２２の一方を高層住宅ベランダ周辺の導電性を有した物体７０と導通良く接続して大地の接地２８と同電位とした。
植木鉢カバー６１は、金属で鋳造したものが中心で周囲は格好の良い模様が刻まれている。
【産業上の利用可能性】
【００４４】  本考案は、植木鉢や植物育成具を製造販売する産業で利用され、植物育成愛好家などで使用される。
【図面の簡単な説明】
【００４５】
【図１】本考案を実施するための最良の第１の形態の植物育成具のアース棒を使用した鉢植の一部を切り欠いだ斜視図。
【図２】本考案を実施するための最良の第１の形態のの植物育成具のアース棒の模試図。
【図３】本考案を実施するための最良の第１の形態の植物育成具のアース棒を鉢に使用した断面図。
【図４】本考案を実施するための最良の第１の形態の植物育成具のアース棒を並列に接続した模試図。
【図５】本考案を実施するための最良の第１の形態の植物育成具の並列に接続したアース棒を鉢に使用した斜視図。
【図６】本考案を実施するための最良の第２の形態の植物育成具の金属製のプランターの斜視図。
【図７】本考案を実施するための最良の第３の形態の植物育成具の植木置皿の断面図。
【図８】本考案を実施するための最良の第３の形態の植物育成具の植木置台の断面図。
【図９】本考案を実施するための最良の第４の形態の植物育成具の植木鉢カバーの一部を切り欠いだ斜視図。
【図１０】従来の屋内接地の植物用鉢の断面図。
【符号の説明】
【００４６】１８  鉢
１９  土壌
２０  植物育成具
２１  アース棒
２２  接地線
２３  金属片
２４  手すり
２５  水道蛇口
２６  水道管
２７  クリップ
２８  接地
４１  金属製のプランター
４２  金属製の鉢
５１  植木置皿
５２  植木置台
５３  接地用接続端子
６１  植木鉢カバー
６３  接地用接続端子
７０  物体
７２  接地用接続メス端子
７３  接地用接続オス端子
【図１】
0003142022.tif 000003
【図２】
0003142022.tif 000004
【図３】
0003142022.tif 000005
【図４】
0003142022.tif 000006
【図５】
0003142022.tif 000007
【図６】
0003142022.tif 000008
【図７】
0003142022.tif 000009
【図８】
0003142022.tif 000010
【図９】
0003142022.tif 000011
【図１０】
0003142022.tif 000012
【手続補正書】
【提出日】平成20年1月17日(2008.1.17)
【手続補正１】
【補正対象書類名】実用新案登録請求の範囲
【補正対象項目名】請求項６
【補正方法】変更
【補正の内容】
【請求項６】
前記記載の植物育成具であって、該植物育成具（２０）は、植木置皿（５１）と、植木置台（５２）と、植木鉢カバー（６１）等に設けたアース棒（２１）は、該アース棒（２１）と接続する接地用接続メス端子（７２）を設け、該接地用接続メス端子（７２）と接地用接続オス端子（７３）は着脱自在で、該接地用接続オス端子（７３）と導電性の良好な接地線（２２）を固着接続して設け、該接地線（２２）のもう一方の先端を高層住宅ベランダ周辺に固着している導電性を有した物体（７０）である金属片（２３）と、金属製の手すり（２４）と、水道蛇口（２５）あるいは水道管（２６）等と導通良く接続して設けた構成であることを特徴とする請求項１ないし５記載のいずれか一項に記載の植物育成具。
【手続補正２】
【補正対象書類名】明細書
【補正対象項目名】００２０
【補正方法】変更
【補正の内容】
【００２０】  また、請求項６記載の考案では、請求項１ないし５記載のいずれか一項に記載の植物育成具であって、該植物育成具２０は、植木置皿５１と、植木置台５２と、植木鉢カバー６１等に設けたアース棒２１は、該アース棒２１と接続する接地用接続メス端子７２を設けた。該接地用接続メス端子７２と接地用接続オス端子７３は着脱自在で、該接地用接続オス端子７３と導電性の良好な接地線２２を固着接続して設けた。該接地線２２のもう一方の先端を高層住宅ベランダ周辺に固着している導電性を有した物体７０である金属片２３と、金属製の手すり２４と、水道蛇口２５あるいは水道管２６等と導通良く接続して設けた構成の植物育成具である。
【手続補正３】
【補正対象書類名】明細書
【補正対象項目名】００２７
【補正方法】変更
【補正の内容】
【００２７】  請求項６記載の考案では、請求項１ないし５記載のいずれか一項に記載の植物育成具であって、該植物育成具は、植木置皿と、植木置台と、植木鉢カバー等に設けたアース棒は、該アース棒と接続する接地用接続メス端子を設けた。該接地用接続メス端子と接地用接続オス端子は着脱自在で、該接地用接続オス端子と導電性の良好な接地線を固着接続して設けた。該接地線のもう一方の先端を高層住宅ベランダ周辺に固着している導電性を有した物体である金属片と、金属製の手すりと、水道蛇口あるいは水道管等と導通良く接続して設けた構成の植物育成具であるので、高層住宅ベランダにおいて植木置皿と、植木置台と、植木鉢カバー等を移動するとき接地線を引き回すことが無くなった。移動の際には設けた接地用接続メス端子７２と着脱自在の接地用接続オス端子７３を取外すはずすことで済む。接地線を引き回すことが無くなったので見た目も美しく取扱いも簡単で高層住宅ベランダにおける植物育成が楽しくなった。